(57)【要約】【課題】天井面に吊下げ設置でき、天井裏に底面吹出しまたは正面吹出しで設置でき、且つ床面上にも設置できるようにしたダクトタイプの空気調和機を提供する。【解決手段】天井裏に底面吹出しで設置する際、天井面に底面パネル９および正面パネル１１に対応する開口部１４を連続的に形成する一方、前記底面パネル９と、チャンバー１３と、同チャンバー１３を臨ませた前記正面パネル１１とを装着した本体７を設置するようにし、天井裏に正面吹出しで設置する際、天井面に前記底面パネル９に対応する第一開口部１５を形成すると共に、天井裏の正面壁に前記正面パネル１１に対応する第二開口部１６を形成する一方、前記底面パネル９と、前記正面パネル１１とを装着した本体７を設置するようにした。【選択図】  図４
2004239446.tif 000002
【特許請求の範囲】
【請求項１】
底面に吸込口を備え、正面に吹出口を備えた筐体と、前記吸込口と前記吹出口とを結ぶ空気通路に設けられた熱交換器および送風機とからなる本体と、前記吸込口に対応する吸込グリルを備え、本体の底面に装着される底面パネルと、前記吹出口に対応する吹出グリルを備え、本体の正面に装着される正面パネルと、本体の両側面に装着されるサイドパネルと、前記吸込口に連通して風向を偏向するチャンバーとからなり、
本体を天井面、天井裏もしくは床面などに設置する場合、設置形態に応じて上記構成でなる部材を適宜組み合わせることにより設置できるようにしてなることを特徴とする空気調和機。
【請求項２】
吊下設置型として天井面から吊下げる場合、本体に前記底面パネルと、前記正面パネルと、前記サイドパネルとを夫々装着するようにしてなることを特徴とする請求項１に記載の空気調和機。
【請求項３】
底面吹出型として天井裏に設置する場合、天井面に前記底面パネルおよび前記正面パネルに対応する開口部を連続的に形成する一方、本体に前記底面パネルと、前記チャンバーと、同チャンバーを臨ませた前記正面パネルとを装着するようにしてなることを特徴とする請求項１に記載の空気調和機。
【請求項４】
正面吹出型として天井裏に設置する場合、天井面に前記底面パネルに対応する第一開口部を形成すると共に、天井裏の正面壁に前記正面パネルに対応する第二開口部を形成する一方、本体に前記底面パネルと、前記正面パネルとを装着するようにしてなることを特徴とする請求項１に記載の空気調和機。
【請求項５】
床面設置型として床面上に設置する場合、本体に前記底面パネルと、前記正面パネルと、前記サイドパネルとを装着するようにしてなることを特徴とする請求項１に記載の空気調和機。
【請求項６】
梱包時に本体と、前記底面パネルと、前記正面パネルとを標準部材として標準梱包にし、前記サイドパネルおよび前記チャンバーをオプション部材として別梱包にしてなることを特徴とする請求項１乃至請求項５の何れかに記載の空気調和機。
【発明の詳細な説明】
【０００１】
【発明の属する技術分野】
本発明は、ダクトタイプの空気調和機に係わり、より詳細には、天井面に吊下げ設置でき、天井裏に底面吹出しまたは正面吹出しで設置でき、且つ床面上にも設置できるようにした構造に関する。
【０００２】
【従来の技術】
従来の空気調和機には、空気調和する建物や部屋の状況に合わせたシステムとして選択的に使用できるようにし、使用者の利便性を高めるようにしたものとして、天井埋込型空気調和装置の吸込口を、パネル仕様とダクト仕様に共通して使用できる構造にすることにより、一つの共通構造の空気調和機でダクト仕様にもパネル仕様にも使用できるような天井埋込型空気調和装置を提供し、製造、流通コスト面からも使用者の便宜を図るようにすることを目的としたものがあった（例えば、特許文献１参照。）。
【０００３】
しかしながら、上記構成でなる天井埋込型空気調和装置は、天井面に吊下げ設置でき、コンシールドタイプとして天井裏に底面吹出しまたは正面吹出しで設置でき、且つ床面上にも設置できるようにしたものではないことから、これらの異なる設置形態に対応できるようにし、且つ構成部材の共通化をはかって金型費用を抑えることができるようにすることが望まれていた。
【０００４】
【特許文献１】
特開２０００−３０４２９８号公報（第２頁、第１図乃至第４図）
【０００５】
【発明が解決しようとする課題】
本発明においては、上記の問題点に鑑み、天井面に吊下げ設置でき、天井裏に底面吹出しまたは正面吹出しで設置でき、且つ床面上にも設置できるようにしたダクトタイプの空気調和機を提供することを目的とする。
【０００６】
【課題を解決するための手段】
本発明は、上記課題を解決するため、底面に吸込口を備え、正面に吹出口を備えた筐体と、前記吸込口と前記吹出口とを結ぶ空気通路に設けられた熱交換器および送風機とからなる本体と、前記吸込口に対応する吸込グリルを備え、本体の底面に装着される底面パネルと、前記吹出口に対応する吹出グリルを備え、本体の正面に装着される正面パネルと、本体の両側面に装着されるサイドパネルと、前記吸込口に連通して風向を偏向するチャンバーとからなり、
本体を天井面、天井裏もしくは床面などに設置する場合、設置形態に応じて上記構成でなる部材を適宜組み合わせることにより設置できるようにしてなる構成となっている。
【０００７】
また、吊下設置型として天井面から吊下げる場合、本体に前記底面パネルと、前記正面パネルと、前記サイドパネルとを夫々装着するようにしてなる構成となっている。
【０００８】
また、底面吹出型として天井裏に設置する場合、天井面に前記底面パネルおよび前記正面パネルに対応する開口部を連続的に形成する一方、本体に前記底面パネルと、前記チャンバーと、同チャンバーを臨ませた前記正面パネルとを装着するようにしてなる構成となっている。
【０００９】
また、正面吹出型として天井裏に設置する場合、天井面に前記底面パネルに対応する第一開口部を形成すると共に、天井裏の正面壁に前記正面パネルに対応する第二開口部を形成する一方、本体に前記底面パネルと、前記正面パネルとを装着するようにしてなる構成となっている。
【００１０】
また、床面設置型として床面上に設置する場合、本体に前記底面パネルと、前記正面パネルと、前記サイドパネルとを装着するようにしてなる構成となっている。
【００１１】
また、梱包時に本体と、前記底面パネルと、前記正面パネルとを標準部材として標準梱包にし、前記サイドパネルおよび前記チャンバーをオプション部材として別梱包にしてなる構成となっている。
【００１２】
【発明の実施の形態】
以下、本発明の実施の形態を図面に基づいた実施例として詳細に説明する。
図１は本発明による空気調和機の説明図で、（Ａ）は斜視図、（Ｂ）は断面図であり、図２は本発明による空気調和機の分解斜視図であり、図３は本発明による空気調和機の第一の実施例を示す斜視図であり、図４は本発明による空気調和機の説明図で、（Ａ）は第二の実施例を示す斜視図、（Ｂ）は第三の実施例を示す斜視図であり、図５は第三の実施例の要部斜視図であり、図６は第四の実施例の要部斜視図である。
【００１３】
本発明によるダクトタイプの空気調和機は、図で示すように、底面に吸込口３を備え、正面に吹出口４を備えた筐体と、前記吸込口３と前記吹出口４とを結ぶ空気通路に設けられた熱交換器１および送風機２とで本体７が構成されている。
【００１４】
本体７の前面には、前記送風機２を臨ませるように、吸込グリル８を有する吸込口３を備えた底面パネル９が装着されるようになっている。
【００１５】
本体７の正面には、前記熱交換器１を臨ませるように、吹出グリル１０を有する吹出口４を備えた正面パネル１１が装着され、両側面には、サイドパネル１２が夫々装着されるようになっている。
【００１６】
前記吹出口４には、空気流偏向用のチャンバー１３が連結可能な構成になっており、前記吹出口４から吹き出される空気流を偏向させたい場合、前記チャンバー１３によって容易に、且つ正確に空気流を偏向できるようになっている。
【００１７】
なお、前記チャンバー１３は、前記吹出グリル１０を介して前記吹出口４に連通するようにしてもよい。
【００１８】
上記構成により、本体を天井面、天井裏もしくは床面などに設置する場合、これらの設置形態に応じて前記底面パネル９、前記正面パネル１１、前記サイドパネル１２および前記チャンバー１３などを適宜組み合わせることにより設置できるようになっており、これによって、設置形態に対応して必要な構成部材を選択的に組み合わせることができるようになる。
【００１９】
次に、吊下設置型として天井面Ａから吊下げる場合や、底面吹出型として天井裏に設置する場合や、正面吹出型として天井裏に設置する場合や、床面設置型として床面Ｂ上に設置する場合において、前記底面パネル９、前記正面パネル１１および前記チャンバー１３などの構成部材をどのように組み合わせるかについて以下に説明する。
【００２０】
吊下設置型として天井面Ａから吊下げる場合には、第一の実施例として図３で示すように、前記底面パネル９と、前記正面パネル１１と、前記サイドパネル１２とが夫々装着されてなる本体７が、図示しない吊下げ金具を介装するなどして天井面Ａに吊下げ設置されるようになって、前記吸込口３から吸い込まれ、前記熱交換器１によって熱交換された空気を前記吹出口４から被空気調和室に吹き出せる。
【００２１】
また、底面吹出型として天井裏に設置する場合には、第二の実施例として図４（Ａ）で示すように、前記天井面Ａに前記底面パネル９および前記正面パネル１１に対応する開口部１４を連続的に形成する一方、前記底面パネル９と、前記チャンバー１３と、同チャンバー１３を臨ませた前記正面パネル１１とが夫々装着されてなる本体７が、図示しない据付具を介装するなどして天井裏に設置されるようになっている。
【００２２】
これにより、本体７を天井裏に設置した状態で、前記吸込口３から吸い込まれ、前記熱交換器１によって熱交換された空気を前記チャンバー１３を介して前記吹出口４から被空気調和室に吹き出せるようになり、被空気調和室のインテリア性を高めた高級感を演出できる。
【００２３】
なお、前記開口部１４は、本体７および前記チャンバー１３の寸法および形状に対応して形成されるようになっており、同時に、前記底面パネル９と前記正面パネル１１とで閉塞できるように形成されている。
【００２４】
また、正面吹出型として天井裏に設置する場合には、第三の実施例として図４（Ｂ）で示すように、前記天井面Ａに前記底面パネル９に対応する第一開口部１５を形成すると共に、天井裏に正面壁に前記正面パネル１１に対応する第二開口部１６を形成する一方、前記底面パネル９と、前記正面パネル１１とを装着した本体７が、図示しない据付具を介装するなどして天井裏に設置されるようになっている。
【００２５】
この場合には、図５で示すような段部を有する天井面に対応して設置することができるので、例えばホテルやオフィスなどで該当する室内構造があるような場合に好適である。
【００２６】
次に、床面設置型として床面Ｂ上に設置する場合には、第四の実施例として図６で示すように、前記底面パネル９と、前記正面パネル１１と、前記サイドパネル１２とが夫々装着されてなる本体７が、その背面を前記床面Ｂ上に当接させて設置されるようになっている。
【００２７】
以上のように、本体７の設置形態により使用者の目に触れる部位が異なることを重視して、意匠性を高めるように形成された前記底面パネル９、前記正面パネル１１および前記サイドパネル１２や、風向偏向用の前記チャンバー１３の用い方を工夫できるようになるので便利である。
【００２８】
また、梱包時には、本体７と、前記底面パネル９と、前記正面パネル１１とを標準部材として標準梱包にし、前記サイドパネル１２および前記チャンバー１３をオプション部材として別梱包にして出荷することにより、据付設置作業時には、本体７の設置形態に対応して前記標準部材と、前記オプション部材とを使い分けできるようになるので便利である。
【００２９】
【発明の効果】
以上説明したように、本発明によれば、天井面に吊下げ設置でき、天井裏に底面吹出しまたは正面吹出しで設置でき、且つ床面上にも設置できるようにしたダクトタイプの空気調和機となる。
【図面の簡単な説明】
【図１】本発明による空気調和機の説明図で、（Ａ）は斜視図であり、（Ｂ）は断面図である。
【図２】本発明による空気調和機の分解斜視図である。
【図３】本発明による空気調和機の第一の実施例を示す斜視図である。
【図４】本発明による空気調和機の説明図で、（Ａ）は第二の実施例を示す斜視図であり、（Ｂ）は第三の実施例を示す斜視図である。
【図５】第三の実施例の要部斜視図である。
【図６】第四の実施例の要部斜視図である。
【符号の説明】
１  熱交換器
２  送風機
３  吸込口
４  吹出口
５  上面
６  背面
７  本体
８  吸込グリル
９  底面パネル
１０  吹出グリル
１１  正面パネル
１２  サイドパネル
１３  チャンバー
１４  開口部
１５  第一開口部
１６  第二開口部
Ａ  天井面
Ｂ  床面
【図１】
2004239446.tif 000003
【図２】
2004239446.tif 000004
【図３】
2004239446.tif 000005
【図４】
2004239446.tif 000006
【図５】
2004239446.tif 000007
【図６】
2004239446.tif 000008